(57)【特許請求の範囲】
【請求項１】
複数のサービス情報が周波数多重されて挿入されるデータ領域と、該複数のサービス情報に関する所定の情報が挿入される情報領域とを含む放送信号を受信して復調し、該復調した信号を出力する周波数多重放送受信装置において、
受信した放送信号に含まれる周波数成分を識別し、該識別した周波数成分に基づいて、前記データ領域及び前記情報領域に含まれる情報を復調する復調手段と、
前記情報領域から復調された情報に基づいて、前記データ領域から復調された情報の中からサービス情報を選択するサービス選択手段と、
ＦＩＣデータ格納情報領域と該ＦＩＣデータ格納情報領域の後に配置された選択サービス領域とを含むデータフレームを編成する手段であって、前記復調手段において情報領域から復調された情報であるＦＩＣデータを前記ＦＩＣデータ格納情報領域に配置し、前記サービス選択手段において選択された複数のサービス情報を前記選択サービス領域に配置するデータフレーム生成手段と、
該データフレーム生成手段から出力されるフレームデータと、その出力されているデータがＦＩＣデータであることを示すＦＩＣ基準信号とからＦＩＣデータを識別し、ＲＤＩ形式に変換するＦＩＢデータ変換手段と、
該ＦＩＢデータ変換手段によって変換されたＦＩＣデータにヘッダデータ及びエンドデータを付加してＦＩＣデータフレームを生成するＦＩＣフレーム変換手段と、
前記データフレーム生成手段から出力されるフレームデータと、その出力されているデータが選択されたサービス情報であることを示すＭＳＣ基準信号とから、選択サービス情報を識別し、ＲＤＩ形式に変換するＭＳＣデータ変換手段と、
該ＭＳＣデータ変換手段によって変換されたＭＳＣデータにヘッダデータ及びエンドデータを付加してＭＳＣデータフレームを生成するＭＳＣフレーム変換手段と、
前記ＦＩＣフレーム変換手段より出力されたＦＩＣデータフレームと、ＭＳＣフレーム変換手段より出力されたＭＳＣデータフレームとをＲＤＩ形式のフレームデータに変換するＲＤＩフレーム生成手段とを備え、
該ＲＤＩフレーム生成手段によって変換されたデータフレームを外部装置に伝送する
ことを特徴とする周波数多重放送受信装置。
【請求項２】
データフレームにおいて、ＦＩＣデータ格納情報領域と選択サービス領域の間隔（Ｔ'）と、選択サービス領域における各選択サービス情報を格納するそれぞれの領域間の間隔（Ｔ）とは異なっていることを特徴とする請求項１に記載の周波数多重放送受信装置。
【請求項３】
データフレームにおいて、ＦＩＣデータ格納情報領域と選択サービス情報領域の間の領域に、送信機識別情報を挿入することを特徴とする請求項２に記載の周波数多重放送受信装置。
【請求項４】
周波数多重放送受信装置全体を制御するシステム制御手段と、
データフレームへの挿入のために送信機識別情報をデータフレームに出力していることを示す送信機識別情報アクセス信号を生成する送信機識別情報格納手段と、
該送信機識別情報アクセス信号と前記ＦＩＣ基準信号とからシステム制御信号を生成するウィンドウ信号生成手段とをさらに備え、
前記システム制御手段は、前記システム制御信号に基づいて、データフレームに送信機識別情報が出力されているときは、前記送信機識別情報へのアクセスを行わないようにしたことを特徴とする請求項３に記載の周波数多重放送受信装置。
【発明の詳細な説明】
【０００１】
【発明の属する技術分野】
本発明はディジタル放送受信装置に関し、特に、例えば、音声およびデータなどの各種サービス信号を周波数多重で挿入する複数のデータ領域と、それらのデータ領域の種類、配列、内容等を示すプログラム配列データが挿入される情報領域とを含む多重放送信号を受信復調し、復調された各種サービス信号を外部装置に伝送することが可能な周波数多重放送受信装置に関する。
【０００２】
【従来の技術】
ディジタルオーディオはその優れた特性や使い勝手のよさが広く認められ、近年、急速に普及してきている。このような背景から、オーディオ放送のディジタル化の動きが活発になってきており、欧州では、ディジタルオーディオ放送（ＤＡＢ：  Ｄｉｇｉｔａｌ  Ａｕｄｉｏ  Ｂｒｏａｄｃａｓｔ）が実現化されつつある。
【０００３】
ディジタルオーディオ放送では、所定のプログラム（番組）の音声およびデータなどの各種サービス信号が周波数多重で挿入される複数のデータ領域（ＭＳＣ：  Ｍａｉｎ  Ｓｅｒｖｉｃｅ  Ｃｈａｎｎｅｌ）と、それら複数のデータ領域の種類や配列、内容などを示すプログラム配列データで構成される情報領域（ＦＩＣ：  Ｆａｓｔ  Ｉｎｆｏｒｍａｔｉｏｎ  Ｃｈａｎｎｅｌ）とを周波数多重で挿入した放送信号が直交周波数分割多重（ＯＦＤＭ）変調されて送信される。このようなディジタルオーディオ放送を受信するための装置（以下、「周波数多重放送受信装置」という。）は、送信されてきた周波数多重放送信号を受信すると、その受信信号を情報領域のデータと、データ領域のデータとに復調する。その後、周波数多重放送受信装置は、情報領域のデータに基づき、別途ユーザにより指定されるサービス選択命令にしたがって、データ領域のデータから音声またはデータの各種サービスデータを選択する。選択されたサービスデータが音声サービス情報の場合はデコードされてＰＣＭオーディオとして出力され、また、データサービス情報の場合はそのままデータとして出力される。
【０００４】
図７は、放送局から送られてくる周波数多重放送信号の送信データフレームの構造の一例を示した図である。送信データフレームは、同期領域１１１と、情報領域１１２と、データ領域１１３とから構成されている。同期領域１１１には、送信データフレームの開始点を識別するために使用されるヌルシンボルと、時間同期、周波数同期および差動復調の基準となる同期シンボルとが含まれる。情報領域１１２は複数のブロックに分割され、各ブロックには、伝送するプログラムの内容、伝送するプログラムの配列を示すプログラム配列データ、プログラムの識別データなどの情報が含まれ、また、その末尾には誤り訂正用のＣＲＣが付加されている。データ領域１１３には音声やデータなどの各種サービス情報が含まれる。
【０００５】
図８は従来の周波数多重放送受信装置の構成の一例を示すブロック図である。このような周波数多重放送受信装置では、送信機（放送局）から送信されてきた周波数多重放送信号をアンテナ１で受信し、ＲＦ部２でこの受信信号を所定の基準周波数に基づき中間周波数信号に変換する。ＡＤ変換部３で、中間周波数に変換された周波数多重放送信号をディジタル信号に変換し、直交復調部４でディジタル変換された中間周波数信号に基準搬送波と基準搬送波を９０°移相した信号とをそれぞれ乗算することにより直交検波する。その後、ＦＦＴ５で、直交検波した周波数多重放送信号をＦＦＴ（高速フーリエ変換）処理し、各シンボルの周波数多重信号に含まれる周波数成分を識別し、この識別した周波数成分に基づいて、データ領域信号と情報領域信号とを復調する。
【０００６】
また、ＴＩＩ検出部７では、同期領域１１１のヌルシンボルをＦＦＴ処理した結果から、送信機を識別するための情報（以下「送信機識別情報」という。）を検出する。送信機識別情報はＴＩＩデータ格納部１７に格納される。差動復調部９では、情報領域１１２、データ領域１１３のデータをＦＦＴ処理した結果を差動復調（ＤＱＰＳＫ）し、サービス選択部１８に送る。サービス選択部１８に送られた情報領域１１２のデータはデインターリーブ部１１で、周波数インターリーブが解かれて元のデータ列に戻され、その後、サービス選択部１８で誤り訂正処理が施されて復号される。このサービス選択部１８には、復号された情報領域１１２に含まれるプログラム配列データからユーザにより選択されたサービス情報を復号するための種々の復号情報（シンボル位置、プロテクションレベルなど）がシステム制御部（図示せず）から送信される。
【０００７】
データ領域１１３のデータは、デインターリーブ部１１で周波数および時間インターリーブが解かれて元のデータに戻される。デインタリーブされたデータからは、システム制御部からサービス選択部１８に送信された復号情報に基づいて選択されたサービス情報が復号される。復号されたサービス情報は、それが音声サービス情報の場合は、オーディオデコーダ１３に送られ、ＰＣＭオーディオデータにデコードされて出力される。復号されたサービス情報が、データサービス情報の場合は復号されたデータがそのまま出力される。
【０００８】
また、サービス選択部１８で選択されたサービス情報は、情報領域１１２のデータとともにＲＤＩエンコーダ１９に送られる。ＲＤＩエンコーダ１９は、これらのデータを、所定の出力形式すなわちＲＤＩ（Ｒｅｃｅｉｖｅｒ  Ｄａｔａ  Ｉｎｔｅｒｆａｃｅ）形式のデータに変換する。ここで、ＲＤＩとは、多重放送放送波を復調して得られたデータを種々の機器相互間で利用可能にするために規定されたインタフェースである。
【０００９】
【発明が解決しようとする課題】
ところで、ＲＤＩエンコーダ１９により生成されるＲＤＩ形式のデータには、情報領域１１２の信号、データ領域１１３から選択されたサービス情報だけではなく、送信機識別情報や、データフレームの開始点を識別するための同期信号も含まれている。しかし、現状では、それぞれの情報や信号を出力する順序や、出力するタイミングが特定されていない。このため、外部装置は、周波数多重放送受信装置からＲＤＩ形式のデータを受信したときに、それをデコードするために各データの出力順序やタイミング等を判別するための回路が必要となり、回路構成が複雑にならざるを得ない。
【００１０】
さらに、送信機識別情報に対しては、情報領域１１２のデータと、データ領域１１３から選択されたサービス情報とのデータ長や、それらの出力タイミングによっては、これらの信号を同じＲＤＩデータフレームに含めることができなかった。
【００１１】
また、周波数多重放送の一つであるディジタルオーディオ放送では、スクランブルをかけた放送を送信することも考えられている。このスクランブル放送に対応させるため、周波数多重放送受信装置に外部装置を接続し、外部装置にてスクランブルを解除するということが考えられる。しかし、この場合、外部装置において、スクランブルを解除するための回路に加えて、スクランブル解除後のデータを音声データに復調するための回路が必要となり、その回路構成が複雑になる。
【００１２】
本発明は、上記課題を解決すべくなされたものであり、構成が簡単でかつ小型化を実現し、さらに接続する外部装置の構成を簡単かつ小型にすることができる周波数多重放送受信装置を提供することにある。
【００１３】
【課題を解決するための手段】
本発明に係る周波数多重放送受信装置は、複数のサービス情報が周波数多重されて挿入されるデータ領域と、複数のサービス情報に関する所定の情報が挿入される情報領域とを含む放送信号を受信して復調し、復調した信号を出力する周波数多重放送受信装置である。周波数多重放送受信装置は、受信した放送信号に含まれる周波数成分を識別し、識別した周波数成分に基づいて、データ領域及び情報領域に含まれる情報を復調する復調手段と、情報領域から復調された情報に基づいて、データ領域から復調された情報の中からサービス情報を選択するサービス選択手段と、ＦＩＣデータ格納情報領域とＦＩＣデータ格納情報領域の後に配置された選択サービス領域とを含むデータフレームを編成する手段であって、復調手段において情報領域から復調された情報であるＦＩＣデータをＦＩＣデータ格納情報領域に配置し、サービス選択手段において選択された複数のサービス情報を選択サービス領域に配置するデータフレーム生成手段と、データフレーム生成手段から出力されるフレームデータと、その出力されているデータがＦＩＣデータであることを示すＦＩＣ基準信号とからＦＩＣデータを識別し、ＲＤＩ形式に変換するＦＩＢデータ変換手段と、ＦＩＢデータ変換手段によって変換されたＦＩＣデータにヘッダデータ及びエンドデータを付加してＦＩＣデータフレームを生成するＦＩＣフレーム変換手段と、データフレーム生成手段から出力されるフレームデータと、その出力されているデータが選択されたサービス情報であることを示すＭＳＣ基準信号とから、選択サービス情報を識別し、ＲＤＩ形式に変換するＭＳＣデータ変換手段と、ＭＳＣデータ変換手段によって変換されたＭＳＣデータにヘッダデータ及びエンドデータを付加してＭＳＣデータフレームを生成するＭＳＣフレーム変換手段と、ＦＩＣフレーム変換手段より出力されたＦＩＣデータフレームと、ＭＳＣフレーム変換手段より出力されたＭＳＣデータフレームとをＲＤＩ形式のフレームデータに変換するＲＤＩフレーム生成手段とを備える。ＲＤＩフレーム生成手段によって変換されたデータフレームは外部装置に伝送される。
【００１４】
また、周波数多重放送受信装置におけるＦＩＣデータ格納情報領域と選択サービス領域の間隔（Ｔ'）と、選択サービス領域における各選択サービス情報を格納するそれぞれの領域間の間隔（Ｔ）とを異ならせてもよい。
【００１５】
また、周波数多重放送受信装置におけるＦＩＣデータ格納情報領域と選択サービス領域の間の領域に、送信機識別情報を挿入してもよい。
【００１６】
また、周波数多重放送受信装置は、周波数多重放送受信装置全体を制御するシステム制御手段と、データフレームへの挿入のために送信機識別情報をデータフレームに出力していることを示す送信機識別情報アクセス信号を生成する送信機識別情報格納手段と、送信機識別情報アクセス信号とＦＩＣ基準信号とからシステム制御信号を生成するウィンドウ信号生成手段とをさらに備えてもよい。システム制御手段は、システム制御信号に基づいて、データフレームに送信機識別情報が出力されているときは、送信機識別情報へのアクセスを行わないようにする。
【００１８】
【発明の実施の形態】
以下に添付の図面を参照して本発明に係る周波数多重放送受信装置の実施の形態を説明する。尚、各図において図８に示す従来例と同一の部分については同一の符号を付している。
【００１９】
（周波数多重放送受信装置の全体構成・動作）
図１は本発明に係る周波数多重放送受信装置の一実施形態のブロック図である。周波数多重放送受信装置は、アンテナ１、ＲＦ部２、ＡＤ変換部３、直交復調部４、ＦＦＴ（高速フーリエ変換部）５、同期制御部６、ＴＩＩ検出部７、ＴＩＩデータ格納部８、差動復調部９、サービス選択部１０、デインターリーブ部１１、データフレーム制御部１２、ＲＤＩエンコーダ１４、ＲＤＩデコーダ１５及びオーディオデコーダ１３からなる。さらに、周波数多重放送受信装置は、上記各部にアクセスし、周波数多重放送受信装置全体を制御するシステム制御部１００を備える。
【００２０】
図１に示す周波数多重放送受信装置においては、送信機（放送局）から送信されてきた周波数多重放送信号をアンテナ１で受信し、ＲＦ部２でこの受信信号を所定の基準周波数に基づき中間周波数信号に変換する。なお、送信機から送信される周波数多重放送信号は図７に示すデータフレーム構成を有している。その後、ＡＤ変換部３で中間周波数に変換された周波数多重放送信号をディジタル信号に変換し、直交復調部４でディジタル信号に変換された中間周波数信号に対して基準搬送波と基準搬送波を９０°移相した信号とをそれぞれ乗算することにより、直交検波する。
【００２１】
ＦＦＴ５は、直交検波した周波数多重放送信号をＦＦＴ（高速フーリエ変換）処理し、各シンボルの周波数多重信号に含まれる周波数成分を識別し、この識別した周波数成分に基づいて復調する。同期制御部６は、同期領域１１１のデータをＦＦＴ処理した結果から、受信信号の周波数オフセットを計算し、ＲＦ部２の基準周波数を調整するための補正信号ＡＦＣをＲＦ部２に送る。
【００２２】
ＴＩＩ検出部７は、同期領域１１１のヌルシンボルをＦＦＴ処理したデータから、送信機を識別するための情報（以下「送信機識別情報（ＴＩＩ：  Ｔｒａｎｓｍｉｔｔｅｒ  Ｉｄｅｎｔｉｆｉｃａｔｉｏｎ  Ｉｎｆｏｒｍａｔｉｏｎ）」という。）を検出する。この送信機識別情報はＴＩＩデータ格納部８に格納される。
【００２３】
差動復調部９は、情報領域１１２とデータ領域１１３のデータをＦＦＴ処理した結果を差動復調（ＤＱＰＳＫ）し、サービス選択部１０に送る。
【００２４】
サービス選択部１０において、差動復調部９から送られた情報領域１１２のデータはデインターリーブ部１１で、周波数インターリーブが解かれて元のデータ列に戻される。その後、サービス選択部１０で、周波数インターリーブが解かれたデータ列は、誤り訂正処理されて復号され、データフレーム制御部１２へ送られる。以下、この誤り訂正処理後のデータ列を「ＦＩＣデータ（ＦＩＣ）」という。また、差動復調部９から送られたデータ領域１１３のデータはデインターリーブ部１１で、周波数及び時間インターリーブが解かれて元のデータ列に戻される。その後、サービス選択部１０は、このインターリーブが解かれたデータ領域１１３のデータから、システム制御部１００からの復号情報に基づいて、ユーザにより選択されたサービス情報を復号する。復号情報には、情報領域１１２に含まれるプログラム配列データからユーザにより選択されたサービス情報を復号するための種々の情報（シンボル位置、プロテクションレベルなど）が含まれる。すなわち、サービス選択部１０からは、データ領域１１３のデータの中でユーザにより選択されたサービス情報（以下「選択サービス情報（ＭＳＣｘ（ｘ＝１，２…））」という。）が出力される。
【００２５】
データフレーム制御部１２はサービス選択部１０からデータを受けて、ＦＩＣデータ（ＦＩＣ）と選択されたサービス情報（ＭＳＣ）とを、それらの出力順序、出力タイミングを規定するＤＡＢデータフレームに編成する。ここで、ＤＡＢデータフレームは、周波数多重放送受信装置内部での信号処理用のデータフレーム形式である。また、データフレーム制御部１２は復号したサービス情報が音声データであるときに、ユーザの指示に基づくシステム制御部１００からの制御に基づいてサービス選択部１０からのサービス情報またはＲＤＩデコーダ１５からのサービス情報のいずれかを選択し、オーディオデコーダ１３に送る。オーディオデコーダ１３は、その音声データを再生のためのＰＣＭオーディオデータに変換して出力する。
【００２６】
ＲＤＩエンコーダ１４は、データフレーム制御部１２からＤＡＢデータフレームのデータ（ＤＡＢ３）を受けて、このデータフレームで規定される順序、タイミングでＦＩＣデータと選択サービス情報を、外部装置へ出力するための所定の出力形式すなわちＲＤＩ（Ｒｅｃｅｉｖｅｒ  Ｄａｔａ  Ｉｎｔｅｒｆａｃｅ）形式に変換する。このとき、ＲＤＩエンコーダ１４は、これらの情報に加えて送信機識別情報を挿入してＲＤＩ形式の出力用データフレームを生成する。ＲＤＩエンコーダ１４から出力されたデータは外部装置で利用される。
【００２７】
ＲＤＩデコーダ１５は、ＲＤＩエンコーダ１４から外部装置に出力され、外部装置で処理後のデータを外部装置からＲＤＩ形式で受信し、これを周波数多重放送受信装置内部で処理できる形式の音声データやサービス情報に戻すための手段である。このような機能は、復調処理以外に再生のための所定の処理を必要とする場合に有効となる。例えば、スクランブル放送を受信する場合がある。この場合、外部装置として図１に示すようにスクランブル解除機能を有するスクランブルデコーダ１６を接続する。すなわち、周波数多重放送受信装置がスクランブル放送を受信し、復調後、このデータをＲＤＩエンコーダ１４を介してＲＤＩ形式に変換し、スクランブルデコーダ１６に出力する。このとき、ＲＤＩエンコーダ１４から出力されるデータ（ＲＤＩＯ）はスクランブルがかかったままである。スクランブルデコーダ１６はこのデータ（ＲＤＩＯ）のスクランブルを解除し、ＲＤＩ形式で周波数多重放送受信装置に戻す。周波数多重放送受信装置は、ＲＤＩデコーダ１５でこのデータ（ＲＤＩＩ）を受け、内部処理用のデータ形式に復調し、このデータをデータフレーム制御部１２を介してオーディオデコーダ１３に出力し、そこで、再生用のＰＣＭオーディオデータに変換する。このように、周波数多重放送受信装置はスクランブル放送を受信、再生する場合にも対応できる。
【００２８】
以上のように、本実施形態の周波数多重放送受信装置は、受信した多重放送信号を復調し、その復調データからＦＩＣデータと選択サービス情報とを所定の順序、タイミングでＤＡＢデータフレームに編成し、その後、ＲＤＩ形式に変換して出力する。これにより、周波数多重放送受信装置から出力されるＲＤＩ形式のデータにおいてＦＩＣデータと選択サービス情報の出力順序や出力タイミングが決定される。また、周波数多重放送受信装置は、ＲＤＩ形式に変換した復調後のデータを外部装置に出力する手段に加えて、外部装置において所定の処理後のデータを入力する手段とを有する。これにより、周波数多重放送受信装置で処理できない所定の処理を必要とする多重放送波を受信した場合でも、外部装置でその所定処理を行わせることができる。この場合、外部装置において必要な所定処理を行う機能のみを持たせるだけでよく、外部装置の機能、構成が簡単になる。
【００２９】
以下に、これらの機能を実現する周波数多重放送受信装置の主要部であるデータフレーム制御部１２、ＲＤＩエンコーダ１４及びＲＤＩデコーダ１５についてより詳細に説明する。
【００３０】
（データフレーム制御部の構成・動作）
前述のようにデータフレーム制御部１２は、ＦＩＣデータ（ＦＩＣ）と、選択サービス情報（ＭＳＣｘ）とを所定の順序、タイミングで配置したＤＡＢデータフレームに編成する。図２は、データフレーム制御部１２で生成されるＤＡＢデータフレームの構成例を示した図である。この図に示すように、ＤＡＢデータフレームは、図７に示す送信データフレームの情報領域１１２から復調されたデータであるＦＩＣデータを格納する情報領域８１と、送信データフレームのデータ領域１１３から復調され、その後選択されたサービス情報を格納する選択サービス領域８２とからなる。情報領域８１はさらに複数の情報領域ブロック（ＦＩＢｉ（ｉ＝１，２，…ｎ））に分割されている。各情報領域ブロック（ＦＩＢｉ）は、ＦＩＣデータを格納するデータ領域と、そのデータに対する誤り訂正用のデータ（ＣＲＣデータ）を格納する領域とからなる。選択サービス情報領域８２には、選択された複数のサービス情報（ＭＳＣｉ（ｉ＝１，２，…ｘ））が保持される。
【００３１】
図３は、データフレーム制御部１２で生成されるＤＡＢデータフレームを構成する信号の出力タイミングチャートである。図３において、ＤＡＢデータ（ｆｄａｔ）と、各種基準信号（ｆｗｆｉｃ、ｆｗｍｓｃ１、ｆｗｍｓｃ２…）と、ＤＡＢデータ（ｆｄａｔ）のビット基準クロック（ｆｃｌｋ）とが示されている。ここで、ＦＩＣ基準信号（ｆｗｆｉｃ）は、出力されているＤＡＢデータ（ｆｄａｔ）がＦＩＣデータであることを示す一定の信号であり、ＭＳＣｘ基準信号（ｆｗｍｓｃｘ）は、出力されているＤＡＢデータ（ｆｄａｔ）が選択サービス情報（ＭＳＣｘ）であることを示す一定の信号である。
【００３２】
図３に示すように、ＦＩＣ基準信号（ｆｗｆｉｃ）が出力された後、所定の間隔Ｔ’をおいて、最初の選択サービス情報（ＭＳＣ１）が出力されていることを示すＭＳＣ１基準信号（ｆｗｍｓｃ１）が出力される。２番目の選択サービス情報（ＭＳＣ２）が出力されていることを示すＭＳＣ２基準信号（ｆｗｍｓｃ２）は、ＭＳＣ１基準信号（ｆｗｍｓｃ１）の出力後、間隔Ｔ’とは異なる間隔Ｔをおいて出力される。以降、ｘ番目の選択サービス情報（ＭＳＣｘ）が出力されていることを示すＭＳＣｘ基準信号（ｆｗｍｓｃｘ（ｘ＝２，３，４…））は所定の間隔Ｔをおいて順次出力される。すなわち、ＦＩＣデータ出力後、時間間隔Ｔ’経過後に選択サービス情報ＭＳＣ１が出力され、その後、時間間隔Ｔをあけて順次選択サービス情報（ＭＳＣｘ（ｘ＝２，３，４…））が出力される。なお、ＦＩＣデータと、最初の選択サービス情報（ＭＳＣ１）との間の所定の間隔Ｔ’は、後述するＲＤＩ形式のデータフレームにおけるＦＩＣデータ領域と、ＭＳＣデータ領域との間の領域に相当し、そこには送信機識別情報が挿入される。このように、ＤＡＢデータフレーム（ＤＡＢ３）において、ＦＩＣデータと選択サービス情報に対して、それらの出力順序や出力タイミングが規定される。
【００３３】
図４はデータフレーム制御部１２の構成を示すブロック図である。図４に示すように、データフレーム制御部１２は、出力データ生成部２１、ウィンドウ信号生成部２２、ＤＡＢデータフレーム生成部２３及び音声データ切換部２４からなる。
【００３４】
このように構成されるデータフレーム制御部１２は、サービス選択部１０からのＦＩＣデータ（ＦＩＣ）に基づいて、送信するデータが情報領域のデータであることを示すＦＩＣデータ基準信号（ｆｗｆｉｃ）を生成し、この基準信号（ｆｗｆｉｃ）をＦＩＣデータと共にＤＡＢデータフレームデータ（ＤＡＢ３）の一部として出力する。さらに、データフレーム制御部１２は、サービス選択部１０からＦＩＣデータ（ｆｉｃ）を受信すると、サービス選択部１０に対して、ユーザにより選択されたサービス情報（ＭＳＣｘ（ｘ＝１，２，…））の送信を要求するためのサービス要求信号（ＭＳＣＲＥＱ）を、サービス選択部１０に出力する。サービス選択部１０は、データフレーム制御部１２からサービス情報要求（ＭＳＣＲＥＱ）を受ける毎に、選択サービス情報（ＭＳＣｘ）をデータフレーム制御部１２に順次送信する。データフレーム制御部１２は、サービス選択部１０からの選択サービス情報（ＭＳＣｘ）に基づいて、出力するデータが選択サービス情報（ＭＳＣｘ）であることを示す基準信号であるＭＳＣデータ基準信号（ｆｗｍｓｃｘ）を生成し、選択サービス信号（ＭＳＣｘ）と共にＤＡＢデータフレームデータ（ＤＡＢ３）の一部として出力する。
【００３５】
より具体的には、サービス選択部１０からデータフレーム制御部１２に入力されるＦＩＣデータは出力データ生成部２１で受信される。出力データ生成部２１はＦＩＣデータを受信すると、所定の時間間隔Ｔ’をおいてサービス情報要求（ＭＳＣＲＥＱ）を生成し、これをサービス選択部１０に出力する。サービス情報要求（ＭＳＣＲＥＱ）はサービス選択部１０に対して選択サービス情報の送信を要求する信号である。サービス選択部１０はサービス情報要求（ＭＳＣＲＥＱ）を受信する毎に順次、選択サービス情報（ＭＳＣ）をデータフレーム制御部１２に送信する。したがって、サービス選択部１０は最初にサービス情報要求（ＭＳＣＲＥＱ）を受信したときは、第１番目の選択サービス情報（ＭＳＣ１）をデータフレーム制御部１２に送信する。
【００３６】
データフレーム制御部１２において、出力データ生成部２１がサービス選択部１０から選択サービス情報（ＭＳＣ１）を受信すると、前述の間隔Ｔ’とは異なる間隔Ｔをおいて、次の選択サービス情報を要求するためにサービス情報要求（ＭＳＣＲＥＱ）をサービス選択部１０に出力する。以降同様に、出力データ生成部２１は選択サービス部１０からサービス情報（ＭＳＣｘ（ｘ＝２，３，４…））を受信する毎に、所定の間隔Ｔでサービス情報要求（ＭＳＣＲＥＱ）をサービス選択部１０に順次送信し、サービス選択部１０に対して選択サービス情報の送信を要求する。サービス選択部１０はサービス情報要求（ＭＳＣＲＥＱ）を受信すると、次の選択サービス情報（ＭＳＣｘ（ｘ＝２，３，４…））をデータフレーム制御部１２に送信する。
【００３７】
出力データ生成部２１は選択サービス情報（ＭＳＣｘ（ｘ＝１，２，３…））を受信すると、それが音声サービス信号の場合はその信号を音声データ切換部２４に送信する。さらに、出力データ生成部２１は、受信したＦＩＣデータとサービス情報（ＭＳＣｘ）とをＤＡＢデータ（ｆｄａｔ）に生成し、ＤＡＢデータフレーム生成部２３に送信する。
【００３８】
ウィンドウ信号生成部２２は出力データ生成部２１を介してＦＩＣデータまたは選択サービス情報（ＭＳＣｘ）を受信する。ウィンドウ信号生成部２２はＦＩＣデータを受信したときは、ＤＡＢデータ（ｆｄａｔ）がＦＩＣデータであることを示す基準信号（ｆｗｆｉｃ）を生成し、選択サービス情報（ＭＳＣｘ）を受信したときは、ＤＡＢデータ（ｆｄａｔ）が選択サービス情報（ＭＳＣｘ）であることを示す基準信号（ｆｗｍｓｃｘ）を生成する。生成された基準信号（ｆｗｆｉｃ）及び基準信号（ｆｗｍｓｃｘ）は、基準信号（ｆｗ）としてまとめられてＤＡＢデータフレーム生成部２３に送信される。
【００３９】
ＤＡＢデータフレーム生成部２３は、出力データ生成部２１で生成されたＤＡＢデータ（ｆｄａｔ）と、ウィンドウ信号生成部２２で生成された基準信号（ｆｗ）とのタイミングを調整し、これらをＤＡＢデータフレームデータ（ＤＡＢ３）として出力する。以上のようにしてデータフレーム制御部１２で生成されたＤＡＢデータフレームデータ（ＤＡＢ３）はＲＤＩエンコーダ１４に送信される。
【００４０】
音声データ切換部２４は、システム制御部１００からの切換信号（ＡＩＮＳＥＬ）に基づき、出力データ生成部２１からの信号（ｆｄａｔ）と、ＲＤＩエンコーダ１５からの信号（ＲＡＤＴ、ＲＷＭＳＣ）とを切り替えて音声データ（ＡＤＴ）としてオーディオデコーダ１３に出力する。
【００４１】
（ＲＤＩエンコーダの構成・動作）
次に、ＲＤＩエンコーダ１４について説明する。ＲＤＩエンコーダ１４は、データフレーム制御部からＤＡＢデータフレームのデータを受けると、それに含まれるＦＩＣデータと選択サービス情報とを、ＤＡＢデータフレームに規定された順序、タイミングのままＲＤＩ形式のデータに変換し、外部装置（例えば、スクランブルデコーダ１６）に伝送する。この際、ＲＤＩエンコーダ１４はさらに、ＦＩＣデータと選択サービス情報との間の間隔Ｔ’において送信機識別情報を挿入して出力用データフレームを生成する。図５に、ＲＤＩエンコーダ１４で生成されるＲＤＩ形式のデータフレームの構成例を示す。以下では、ＲＤＩエンコーダ１４から出力されるこのデータフレーム構成のデータをＲＤＩ出力データ（ＲＤＩＯ）という。図に示すように、一つのデータフレームにおいては、同期信号領域１０１、ＦＩＣデータ領域１０２、ＴＩＩデータ領域１０３及びＭＳＣデータ領域１０４がこの順で構成されている。
【００４２】
同期信号領域１０１はデータフレームの先頭を識別するための同期信号（ＲＤＩＳＹＮＣ）を含む。ＴＩＩデータ領域１０３はＴＩＩヘッダデータとＴＩＩデータとを含む。ＴＩＩデータは送信機識別情報（ＴＩＩ）を示すデータであり、ＴＩＩヘッダデータはそのＴＩＩデータに対するヘッダデータである。ＭＳＣデータ領域１０４は、選択サービス情報であるＭＳＣｎデータ（ｎ＝１，２…ｘ）を含むＭＳＣｎデータ領域からなる。各ＭＳＣｎデータ領域（ｎ＝１，２…ｘ）において、ＭＳＣｎデータは、その前にヘッダデータであるＭＳＣｎヘッダデータを、その後ろにエンドデータであるＭＳＣｎエンドデータを伴っている。さらに、各ＭＳＣｎデータ領域（ｎ＝１，２…ｘ）においてＭＳＣｎヘッダデータの前にはその前のデータ領域と区別するための領域が設けられている。このように、図５に示すＲＤＩエンコーダ１４で生成されるＲＤＩ形式のデータフレームでは、ＦＩＣデータや選択サービス情報の他に、ＴＩＩデータのそれぞれの出力順序及び出力タイミングが規定される。
【００４３】
図６にＲＤＩエンコーダ１４とＲＤＩデコーダ１５の構成を示す。図６に示すように、ＲＤＩエンコーダ１４は、ＦＩＢ付加データ生成部３１と、ＦＩＢデータ変換部３２と、ＦＩＣフレーム変換部３３と、ＭＳＣ付加データ生成部３４と、ＭＳＣデータ変換部３５と、ＭＳＣフレーム変換部３６と、ＳＣＨＩＤ格納部３７と、ＴＩＩデータ変換部３８と、ＴＩＩフレーム変換部３９と、ＲＤＩフレーム生成部４０と、伝送フレーム変換部４１とからなる。
【００４４】
ＦＩＢ付加データ生成部３１は、ＦＩＣヘッダデータおよびＦＩＣエンドデータを、ＦＩＣデータの前後に付加するデータとして生成する。ＦＩＣヘッダデータには例えばＦＩＣデータであることを識別するための情報が含まれる。ＦＩＣヘッダデータおよびＦＩＣエンドデータは、サービス選択部１０で検出した情報領域データの中の情報領域ブロックデータの位置を示す情報（ＦＩＢＮＯ）と、サービス選択部１０での情報領域ブロックＦＩＢの誤り訂正処理の結果を示す情報（ＦＩＢＣＲＣ）と、各情報領域ブロックＦＩＢに付加されているＣＲＣデータとから生成される。
【００４５】
ＦＩＢデータ変換部３２は、データフレーム制御部１２から出力されたＤＡＢデータ（ｆｄａｔ）と、ＦＩＣ基準信号（ｆｗｆｉｃ）とからＦＩＣデータを識別し、情報領域ブロック毎にＦＩＣデータをＲＤＩ形式に変換する。
【００４６】
ＦＩＣフレーム変換部３３は、ＦＩＢ付加データ生成部３１で生成されたＦＩＣヘッダデータ及びＦＩＣエンドデータと、ＦＩＢデータ変換部３２で変換されたＦＩＣデータとのタイミングを合わせ、それらをＲＤＩ形式のフレームデータに変換する。
【００４７】
ＭＳＣデータ変換部３５は、データフレーム制御部１２より出力されたフレームデータ（ｆｄａｔ）と、ＭＳＣｘ基準信号（ｆｗｍｓｃｘ）とから選択サービス情報（ＭＳＣｘ）を識別し、この識別したサービス情報（ＭＳＣｘ）をＲＤＩ形式に変換し、出力する。また、ＭＳＣデータ変換部３５はＲＤＩ形式に変換する際に、変換するフレーム数（ＲＤＩＮＯ）を検出し、これを出力する。
【００４８】
ＭＳＣ付加データ生成部３４はＭＳＣ付加データを生成する。ＭＳＣ付加データには、サービス選択部１０で選択されたサービス情報（ＭＳＣｘ）を識別するための識別情報と、データ領域１１３からサービス情報を選択する時に検出したビット誤り率（ＭＳＣｘＥＲ）と、ＭＳＣデータ変換部３５により求められたＲＤＩフレームの数（ＲＤＩＮＯ）と、ＭＳＣヘッダデータと、ＭＳＣエンドデータとが含まれる。ＭＳＣヘッダデータには後続のサービス情報を識別するためのサービス識別情報（ＳＣＨＩＤ）等が含まれる。
【００４９】
ＭＳＣフレーム変換部３６は、ＭＳＣ付加データ生成部３４で生成されたＭＳＣヘッダデータと、ＭＳＣエンドデータと、ＭＳＣデータ変換部３５で変換されたＭＳＣｘデータとのタイミングを合わせ、それらをＲＤＩ形式に変換する。
【００５０】
ＳＣＨＩＤ格納部３７にはサービス識別情報（ＳＣＨＩＤ）が格納される。ＦＩＣフレーム変換部３３は、ＲＤＩ形式に変換したフレームデータをＲＤＩフレーム生成部４０に出力し終えると同時に、送信機識別情報要求（ＴＩＩＲＥＱ）を出力する。送信機識別情報要求（ＴＩＩＲＥＱ）はＴＩＩ格納部８に対して送信機識別情報（ＴＩＩ）の出力を要求するための信号である。
【００５１】
ＴＩＩデータ格納部８（図１参照）は、送信機識別情報要求（ＴＩＩＲＥＱ）を受信すると、送信機識別情報（ＴＩＩ）をＲＤＩエンコーダ１４に出力する。ＲＤＩエンコーダ１４において、送信機識別情報（ＴＩＩ）はＴＩＩデータ変換部３８により受信され、ＲＤＩ形式に変換される。
【００５２】
ＴＩＩフレーム変換部３９は、ＲＤＩ形式に変換された送信機識別情報（ＴＩＩ）からＴＩＩヘッダデータとＴＩＩエンドデータとを生成し、これらのデータと送信機識別情報（ＴＩＩ）とを、ＲＤＩ形式に変換する。
【００５３】
ＲＤＩフレーム生成部４０は、ＦＩＣフレーム変換部３３により変換されたＲＤＩ形式のデータと、ＭＳＣフレーム変換部３６により変換されたＲＤＩ形式のデータと、ＴＩＩフレーム変換部３９で変換されたＲＤＩ形式のデータとのタイミングを合わせ、これらのフレームデータに同期信号（ＲＤＩＳＹＮＣ）を付加して、図５に示すような出力用のＲＤＩフレームデータに変換する。図５に示すように出力用データフレームにおいて、送信機識別情報（ＴＩＩ）がＦＩＣデータと選択サービスデータとの間に挿入されるため、外部装置において送信機識別情報の認識が可能となる。
【００５４】
伝送フレーム変換部４１は、このＲＤＩフレームデータを伝送のためのフレーム形式に変換（例えば、光出力のためのＩＥＣ９５８フォーマットによるバイフェーズ変換）し、外部装置に伝送する。
【００５５】
ＦＩＣフレーム変換部３３が送信機識別情報要求（ＴＩＩＲＥＱ）をＴＩＩデータ格納部８に送信すると、ＴＩＩデータ格納部８は格納している送信機識別情報（ＴＩＩ）をＲＤＩエンコーダ１４のデータ変換部３８に出力し（すなわち、送信機識別情報（ＴＩＩ）がＲＤＩエンコーダ１４により読み出され、）、この期間、ＴＩＩデータアクセス識別信号（ＴＩＩＡＣＳ）をデータフレーム制御部１２に出力する。ここで、ＴＩＩデータアクセス識別信号（ＴＩＩＡＣＳ）とは、ＴＩＩデータ格納部８がＴＩＩデータ変換部３８によりアクセスされていることを示す信号である。
【００５６】
データフレーム制御部１２内のウィンドウ信号生成部２２は、ＴＩＩデータアクセス識別信号（ＴＩＩＡＣＳ）と、ＦＩＣ基準信号（ｆｗｆｉｃ）とからシステム制御基準信号（ＭＰＵＳＹＮＣ）を生成する。システム制御基準信号（ＭＰＵＳＹＮＣ）は、ＦＩＣデータが出力されている期間、または、ＴＩＩデータ格納部８からＴＩＩデータが読み出されている期間を示すように生成される。システム制御部１００は、このシステム制御基準信号（ＭＰＵＳＹＮＣ）を参照してＴＩＩ格納部８を含めた受信装置内の各部に対するアクセスの可否を判断し、ＦＩＣデータが出力されている期間またはＴＩＩデータ格納部８からＴＩＩデータが読み出されている期間は、誤動作を防止するためにＴＩＩ格納部８や受信装置内の各部に対してアクセスしないようにしている。つまり、ＲＤＩエンコーダ１４がＴＩＩデータ格納部８に対してアクセスしている間は、システム制御部１００がＴＩＩデータ格納部８に対して送信機識別情報を取得するためのアクセスは行わないようになっている。
【００５７】
このように、システム制御部１００がシステム制御基準信号（ＭＰＵＳＹＮＣ）を参照してＴＩＩデータ格納部８に対するアクセスの可否を判断することにより、ＴＩＩデータ格納部８にＲＤＩエンコーダ１４が使用する送信機識別情報以外の所定のデータを格納させた場合であっても、システム制御部１００は送信機識別情報の取得を確実に行うことができる。したがって、ＴＩＩデータ格納部８を送信機識別情報の格納のために専用に設ける必要がなく、他の格納手段と併用できるため回路構成が簡単になる。
【００５８】
（ＲＤＩデコーダの構成・動作）
次に、ＲＤＩデコーダ１５について説明する。本実施形態の周波数多重放送受信装置では、受信した放送波から復調したデータをデータフレーム制御部１２でＤＡＢデータフレームに編成し、ＲＤＩエンコーダでＲＤＩ形式に変換してスクランブルデコーダ１６に出力する。その後、スクランブルデコーダ１６でスクランブルが解除されたデータが、周波数多重放送受信装置においてＲＤＩデコーダ１５に入力され、最終的に所定の音声データに変換される。
【００５９】
図６に示すように、ＲＤＩデコーダ１５は、受信フレーム変換部４２と、データフレーム復号部４３と、ウインドウ信号生成部４４と、ＳＣＨＩＤ検出部４５と、ＳＣＨＩＤ比較部４６と、音声データ生成部４７とからなる。
【００６０】
スクランブルデコーダ１６において、ＲＤＩエンコーダ１４から出力されたデータ（ＲＤＩＯ）はスクランブルが解除され、伝送のためのフレーム形式（ＩＥＣ９５８フォーマット）に変換され、ＲＤＩ形式のデータ（ＲＤＩＩ）としてＲＤＩデコーダ１５に送信される。ＲＤＩデコーダ１５の受信フレーム変換部４２はこのデータ（ＲＤＩＩ）を伝送のためのフレーム形式から復調し、ＲＤＩ形式のフレームデータ（ＲＤＩＭ）に生成する。データフレーム復号部４３は、ＲＤＩ形式のフレームデータ（ＲＤＩＭ）をＦＩＣデータ、ＴＩＩデータ、選択サービス情報の各データに分割生成する。
【００６１】
ウィンドウ信号生成部４４は、データフレーム復号部４３で分割生成された各データに対して、前述の基準信号ｆｗｍｓｃ、ｆｗｆｉｃのような基準信号をそれぞれ生成する。ＳＣＨＩＤ検出部４５は、データフレーム復号部４３で分割生成されたサービス情報からサービス識別情報（ＳＣＨＩＤ）を検出する。
【００６２】
ＳＣＨＩＤ比較部４６は、ＳＣＨＩＤ検出部４５で検出されたサービス識別情報（ＳＣＨＩＤ）と、ＲＤＩエンコーダ１４内のＳＣＨＩＤ格納部３７に格納されている選択音声サービス情報の識別データ（ＳＣＨＩＤ）とを比較する。音声データ生成部４７は、比較結果を参照して両サービス情報識別情報が一致した場合、その識別情報に対応する選択サービス情報すなわち音声サービス情報（ＲＡＤＴ）と、ウインドウ信号生成部４４からの選択サービス情報に対する基準信号（ＲＷＭＳＣ）とをタイミングを合わせビットクロック信号（ＲＣＬＫ）とともにデータフレーム制御部１２に出力する。これらの信号の形式は前述のＤＡＢフレームデータ（ｆｄａｔ）の形式と同様である。
【００６３】
データフレーム制御部１２において、音声データ切換部２４は、システム制御部１００から送信される切換信号（ＡＩＮＳＥＬ）に従って、ＤＡＢフレームデータ（ｆｄａｔ）内の音声サービス情報データと、スクランブル解除された音声サービス情報データ（ＲＡＤＴ）とを切り換え、切換信号が示す方のデータを音声データ（ＡＤＴ）としてオーディオデコーダ１３に送り、ＰＣＭオーディオデータに変換して出力する。
【００６４】
以上のように、本実施形態の周波数多重放送受信装置は、データフレーム制御部１２により、復号したＦＩＣデータと選択サービス情報の出力順序とのタイミングを調整し、所定のＤＡＢデータフレームのデータＤＡＢ３に生成する。また、ＲＤＩエンコーダ１４において、ＦＣＩデータと、選択サービス情報（ＭＳＣｘ）と、送信機識別情報（ＴＩＩ）とを１つのＲＤＩ形式のデータフレーム内に収めることができ、さらに、それらの出力順序とタイミングを特定することができる。このため、外部装置において、周波数多重放送受信装置からのＦＣＩデータや選択サービス情報等の出力順序やタイミングを特定するための回路を必要とせず、回路構成が簡単になる。
【００６５】
また、スクランブル放送信号を受信する場合のように、その信号を完全に再生するために所定の処理を要する場合においても、その所定の処理を施す外部装置に対して、復調後のデータ（ＲＤＩ形式データ）を出力し、外部装置にて所定処理された後のデータを入力し、そのデータをＲＤＩ形式から復調し、周波数多重放送受信装置の機能を利用して所定の再生データに変換することができる。このため、外部装置において、所定の再生データに変換するための回路を必要とせず、回路構成が簡単になる。
【００６６】
また、情報領域のデータ区間を示す基準信号と、ＲＤＩエンコーダ１４がＴＩＩデータ格納部８にアクセスしている区間を示す基準信号とから、システム制御基準信号を生成する。システム制御部はこのシステム制御基準信号を参照し、ＴＩＩデータ格納部８に対するアクセスの可否を判断する。これにより、ＴＩＩデータ格納部８を通常の格納手段で構成した場合であっても、システム制御部１００は確実に送信機識別情報（ＴＩＩ）を得ることができ、回路構成が簡単になる。
【００６７】
【発明の効果】
本発明の周波数多重放送受信装置によれば、以下の点より、周波数多重放送受信装置それ自体およびそれに接続する外部装置の構成を簡単かつ小型にすることができる。
【００６８】
本発明の周波数多重放送受信装置によれば、周波数多重された放送信号の情報領域の情報と、選択されたサービス情報とを所定の順序、タイミングで所定の出力形式のデータフレームに編成する。このため、外部装置でそのデータフレームを受けて処理する際に、それらの情報の位置を特定するための回路を要せずに、それらの情報の順序、タイミングを特定することができる。
【００６９】
本発明の周波数多重放送受信装置によれば、情報領域の情報と、選択されたサービス情報に加えて、さらに送信機の識別情報を１つのデータフレームに編成し所定の出力形式で出力することができる。このため、外部装置において、送信機の識別情報の認識のための回路を設けなくても識別情報の認識ができ、外部装置の構成が簡単になる。
【００７０】
本発明の周波数多重放送受信装置によれば、所定の処理を行う外部装置に対し、復調後のデータを伝送し、その外部装置で処理後のデータを再度受信することができる。これにより、例えば、スクランブル放送を受信する場合において、周波数多重放送受信装置は、復調後のデータをスクランブルデコーダ等の外部装置に出力し、その外部装置にてスクランブル解除されたデータを受信することができる。その後、周波数多重放送受信装置において、その受信装置が本来有する機能を用いて受信データに対して音声デコード機能等の所定処理を行うことができる。このため、外部装置において別途、音声デコード機能等のための回路を設ける必要がなく、外部装置の構成が簡単になる。
【００７１】
本発明の周波数多重放送受信装置によれば、送信機識別格納手段が送信機の識別情報が読み出されていることを示す基準信号を出力する。この基準信号を参照することにより、送信機識別格納手段から送信機の識別情報の読み出しの可否の判断が可能となるため、送信機識別格納手段を他のデータの格納手段としても併用することができ、周波数多重放送受信装置の構成を簡単にできる。
【図面の簡単な説明】
【図１】本発明に係る周波数多重放送受信装置のブロック図。
【図２】データフレーム制御部で生成されたデータフレームのフレーム構成を示す図。
【図３】データフレーム制御部で生成される各種信号のタイミングチャートを示す図。
【図４】データフレーム制御部のブロック図。
【図５】ＲＤＩエンコーダで生成されるＲＤＩ形式のデータフレームのフレーム構成を示す図。
【図６】ＲＤＩエンコーダとＲＤＩデコーダのブロック図。
【図７】放送局から送られてくる周波数多重放送信号の送信データフレームの構成の一例を示す図。
【図８】従来の周波数多重放送受信装置の一実施形態を示すブロック図。
【符号の説明】
１  アンテナ
２  ＲＦ部
３  ＡＤコンバータ
４  直交復調部
５  ＦＦＴ（高速フーリエ変換）部
６  同期制御部
７  ＴＩＩ検出部
８  ＴＩＩデータ格納部
９  差動復調部
１０  サービス選択部
１２  データフレーム制御部
１３  オーディオデコーダ
１４  ＲＤＩエンコーダ
１５  ＲＤＩデコーダ
１６  スクランブルデコーダ
２４  音声データ切換部
３７  ＳＣＨＩＤ格納部
３８  ＴＩＩデータ変換部
４５  ＳＣＨＩＤ検出部
４６  ＳＣＨＩＤ比較部
１０１  同期信号領域
１０２  ＦＩＣデータ領域
１０３  データ領域
１０４  ＭＳＣデータ領域
【図１】
0003588421.tif 000002
【図２】
0003588421.tif 000003
【図３】
0003588421.tif 000004
【図４】
0003588421.tif 000005
【図５】
0003588421.tif 000006
【図６】
0003588421.tif 000007
【図７】
0003588421.tif 000008
【図８】
0003588421.tif 000009